(57)【要約】      （修正有）【課題】均質にカードをシャッフル可能なカードの自動シャッフル装置を提供する。【解決手段】第一収容トレイ１１と第二収容トレイ１２は、本体１０の中間部位に設けられたカード回収空間Ａの両側に位置する。昇降機構は、カード回収空間Ａに位置付けられる平台を有する。カット機構は、平台の上のカードを第一収容トレイ１１と第二収容トレイ１２に別々に移送する。シャッフル機構は、第一収容トレイ１１と第二収容トレイ１２の底部に別々に装着される第一回転輪と第二回転輪とを有し、第一回転輪と第二回転輪によって第一収容トレイ１１と第二収容トレイ１２の中のカードを再び平台の上に交互に積み重ねる。複数のセンサーは、異なる位置に装着され、カードの位置を感知し、カット機構とシャッフル機構を動作させるか否かを制御する。収集ボックス２９は、シャッフルされかつ平台の上に積み重ねられたカードを取り出すことができる。【選択図】図１
0003143643.tif 000002
【実用新案登録請求の範囲】
【請求項１】
カード回収空間、前記カード回収空間の両側に位置する第一収容トレイおよび第二収容トレイ、前記第一収容トレイの底部に設けられ前記カード回収空間と連絡する第一開口部、および前記第二収容トレイの底部に設けられカード回収空間と連絡する第二開口部を有する本体と、
前記カード回収空間を上下垂直に移動可能な平台を有し、前記平台の上方はカードの積み重ねに用いられる昇降機構と、
前記本体の上方に装着され、左右に移動可能な移動板、第一センサーおよび第二センサーを有するカット機構であって、前記第一センサーは前記カードが前記平台の上方に積み重ねられたことを感知すると前記移動板によって前記カードを前記第一収容トレイと前記第二収容トレイに左右交互に移送し、前記第二センサーは前記平台の上方に前記カードがなくなったことを感知するとカット作動を停止させ、平台を降下させるカット機構と、
前記第一収容トレイの底部に装着される少なくとも一つの第一回転輪と、前記第二収容トレイの底部に装着される少なくとも一つの第二回転輪とを有するシャッフル機構であって、前記第一回転輪と前記第二回転輪は前記カット機構のカット作動が停止した後、始動し、かつ前記第一収容トレイと前記第二収容トレイの中に収容される前記カードを別々に前記第一開口部と前記第二開口部から前記カード回収空間に移送され集中することにより、降下した前記平台の上方に前記カードを交互に積み重ねるシャッフル機構と、
を備えることを特徴とするカードの自動シャッフル装置。
【請求項２】
前記本体は、さらに前記第一収容トレイと前記第二収容トレイの上方に位置する二つのストッパーを有し、前記二つのストッパーは第一位置と第二位置の間に切り替えることが可能であり、前記二つのストッパーは前記第一位置において前記カット機構の前記移動板から移送された前記カードを受け入れ、前記二つのストッパーが前記第二位置に切り替えられると、前記ストッパーの上方の前記カードが前記第一収容トレイまたは前記第二収容トレイの中に落下することを特徴とする請求項１に記載のカードの自動シャッフル装置。
【請求項３】
前記カット機構の前記移動板によって左右一回ずつのカード移動作動が完了した後、前記第一収容トレイと前記第二収容トレイの上方の前記ストッパーは、前記第一位置から前記第二位置に迅速に移動し、そののち前記第一位置に復元することを特徴とする請求項２に記載のカードの自動シャッフル装置。
【請求項４】
前記ストッパーは、軸によって前記本体に接続され、かつ前記カードを受け入れる板面を有し、前記ストッパーは一端に弧形ガイド部を有し、前記本体は二つの支持ユニットと二つの駆動機構を有し、前記二つの支持ユニットは垂直、上下に移動可能なように前記本体の前記収容トレイの外部に装着され、前記二つの駆動機構は前記カット機構の前記移動板によって左右一回ずつの移送動作が完了した信号を受けて前記支持ユニットを移動させ、かつ前記支持ユニットを上に移動させて前記弧形ガイド部を押すとき、前記ストッパーの前記板面を水平に保持して前記カードを受け入れ、前記支持ユニットを下に移動させて前記弧形ガイド部を回転させるとき、前記ストッパーの前記板面を垂直状態に旋転させて前記カードを解放することを特徴とする請求項３に記載のカードの自動シャッフル装置。
【請求項５】
前記本体は、さらに第一側輪、第二側輪および第三センサーを有し、前記第一側輪と前記第二側輪は前記ストッパーの上の前記カード回収空間に近い一側に装着され、前記第三センサーは前記移動板の底部に装着され、かつ真下に前記第一収容トレイまたは前記第二収容トレイの上方の前記ストッパーにまだ載せられていない前記カードを感知すると、前記第一側輪または前記第二側輪を旋転させ、感知された前記カードを前記カード回収空間へ後退させることを特徴とする請求項２に記載のカードの自動シャッフル装置。
【請求項６】
前記本体は、第一隔離板、第二隔離板および少なくとも一つの遮断片を有し、前記第一隔離板は前記カード回収空間と前記第一収容トレイを分割し、前記第一開口部は前記第一隔離板の底部と前記第一回転輪の間に形成され、前記第二隔離板は前記カード回収空間と前記第二収容トレイを分割し、前記第二開口部は前記第二隔離板の底部と前記第二回転輪の間に形成され、前記遮断片は前記隔離板のうちの一つの隔離板に連結され、かつ前記遮断片を上下に移動させることにより前記カードを通過させる前記開口部の大きさを変えることを特徴とする請求項１に記載のカードの自動シャッフル装置。
【請求項７】
前記少なくとも一つの遮断片は第一遮断片と第二遮断片を有し、前記第一遮断片は前記第一隔離板に装着され、かつ前記第一回転輪の真上に位置付けられ、前記第二遮断片は前記第二隔離板に装着され、かつ前記第二回転輪の真上に位置付けられることを特徴とする請求項６に記載のカードの自動シャッフル装置。
【請求項８】
前記昇降機構は、スライド座と平台を有し、前記スライド座は垂直方向に沿って往復移動可能なように前記本体の背面に装着され、前記平台は前記スライド座に連結され、かつ前記カード回収空間の内部に入り込むことを特徴とする請求項１に記載のカードの自動シャッフル装置。
【請求項９】
前記シャッフル機構は、さらに前記本体に装着される第四センサーを有し、前記カット機構のカット作動が完了した後、前記昇降機構の前記平台は降下し、前記第四センサーは降下した前記平台を感知すると前記平台を前記第一開口部と前記第二開口部の下方に位置させることを特徴とする請求項８に記載のカードの自動シャッフル装置。
【請求項１０】
前記シャッフル機構は、さらに二つの第五センサーを有し、前記第五センサーは前記第一収容トレイと前記第二収容トレイの底部に別々に装着され、かつ上方の前記第一収容トレイと前記第二収容トレイの中の前記カードがなくなったことを感知すると、前記第一側輪または前記第二側輪の回転を停止させることを特徴とする請求項９に記載のカードの自動シャッフル装置。
【請求項１１】
前記本体は、さらに収集ボックスを有し、前記収集ボックスは前記本体と分離可能なように前記本体に装着され、かつ前記平台の上方に積み重なる前記カードの収集に用いられることを特徴とする請求項１０に記載のカードの自動シャッフル装置。
【請求項１２】
前記シャッフル機構は、さらに二つの第六センサーを有し、前記第六センサーは前記第一開口部と前記第二開口部に位置する前記カードを別々に感知するため前記本体に装着され、かつ前記第一開口部と前記第二開口部に前記カードがなくなったことを感知すると、シャッフル作動を停止させることを特徴とする請求項１１に記載のカードの自動シャッフル装置。
【請求項１３】
前記昇降機構の前記平台は、切り込み溝を有し、前記カット機構の前記移動板は前記切り込み溝を切り込むことにより、前記カードを前記第一収容トレイまたは前記第二収容トレイに完全に移送することを特徴とする請求項１に記載のカードの自動シャッフル装置。
【請求項１４】
前記本体は、第一カード屑収集トレイ、第二カード屑収集トレイおよび少なくとも一つのファンを有し、前記第一カード屑収集トレイと前記第二カード屑収集トレイは前記第一収容トレイと前記第二収容トレイの下方に位置付けられ、前記ファンは前記本体の内部のカード屑を前記第一カード屑収集トレイと前記第二カード屑回収トレイまで吸引するため前記本体の背面に装着されることを特徴とする請求項１に記載のカードの自動シャッフル装置。
【請求項１５】
前記第一カード屑収集トレイと前記第二カード屑収集トレイは、前記本体と分離可能なように前記本体に装着されることを特徴とする請求項１４に記載のカードの自動シャッフル装置。
【請求項１６】
前記第一カード屑収集トレイと前記第二カード屑収集トレイは、後端にフィルターを別々に有し、前記フィルターは前記本体の内部のカード屑を前記第一カード屑収集トレイと前記第二カード屑収集トレイの内部に収集することを特徴とする請求項１５に記載のカードの自動シャッフル装置。
【請求項１７】
前記シャッフル機構は、さらに押し板と駆動機構を有し、前記押し板と前記駆動機構は前記本体に装着され、前記駆動機構は下に押す位置と引き上げる位置の間に前記押し板を切り替え、前記駆動機構が前記押し板を前前記下に押す位置に切り替えると、前記押し板は前記本体の前記カード回収空間の内に位置付けられ、かつ前記第一開口部と前記第二開口部から前記カード回収空間に集中してくる前記カードを誘導することを特徴とする請求項１に記載のカードの自動シャッフル装置。
【考案の詳細な説明】
【技術分野】
【０００１】
本考案は、ゲーム装置に関し、特にトランプ等のカードの自動シャッフル装置に関する。
【背景技術】
【０００２】
従来のトランプゲームを進める際、熟練したディーラーは、一デッキのトランプカードの番号およびマークをランダムに配列することによりゲーム参加者に配るカードの組み合わせを変化させ、ゲームの公平性および娯楽性を増加させなければならない。
【０００３】
人手でシャッフルを行う場合、カードをよく切り混ぜることができないという事態を引き起こしやすい。また、不正なディーラーはシャッフル過程において動作の熟練によってカードをこっそり取り替えてゲーム全体の結果を制御することができるため、ゲーム全体の過程が人為的に制御される不正行為の発生を免れることができず、ゲーム参加者の興味をそいでしまう。
【０００４】
公平性を高めるために、一部の業者は一回のトランプゲームが完了すると使ったカードを迅速に処分し、次のゲームに新しいカードを使うことによって人手でシャッフルを行う際に生じる不正行為を防いでいる。しかし、カードを処分するには専用処分機械を購入する必要がある。また、カードをより大量に消耗し、コストアップとなる。このようにカードの処分は、処分に要する時間がかかり、紙屑とほこりを大量に発生させてしまうだけでなく、後続の処理に支障をきたし、環境に危害を加えてしまう。
【考案の開示】
【考案が解決しようとする課題】
【０００５】
本考案の主な目的は、人手の代わりに機械でシャッフルを行うことによって均質にカードをシャッフルし、ゲームの公平性と娯楽性を高めることが可能なカードの自動シャッフル装置を提供することである。
【課題を解決するための手段】
【０００６】
上述の目的を達成するために、本考案によるカードの自動シャッフル装置は、本体、昇降機構、カット機構およびシャッフル機構を備える。
本体は、カード回収空間、回収空間の両側に位置する第一収容トレイと第二収容トレイを有する。第一収容トレイは底部にカード回収空間と連絡する第一開口部を有し、第二収容トレイは底部にカード回収空間と連絡する第二開口部を有する。
昇降機構は、カード回収空間を垂直、上下に移動可能な平台を有し、平台の上方はカードの積み重ねに用いられる。
【０００７】
カット機構は、本体の上方に装着され、左右に移動可能な移動板、第一センサーと第二センサーを有する。第一センサーはカードが平台の上方に積み重ねられたことを感知すると移動板によってカードを第一収容トレイと第二収容トレイに左右交互に移送する。第二センサーは平台の上方にカードがなくなったことを感知するとカット機構のカット作動を停止させる。
【０００８】
シャッフル機構は、第一収容トレイの底部に装着される少なくとも一つの第一回転輪と第二収容トレイの底部に装着される少なくとも一つの第二回転輪とを有する。第一回転輪と第二回転輪は、カット機構のカット作動が停止した後、始動し、かつ第一収容トレイと第二収容トレイの中に収容されるカードを別々に第一開口部と第二開口部からカード回収空間に移送、集中することにより、再びカードを平台の上方に積み重ねる。
【０００９】
（効果）
本考案は、人手の代わりに機械でシャッフルを行うことによりシャッフルの全自動化を達成し、均質なシャッフルをはかるため、ゲームの公平性と娯楽性を高めることが可能なだけでなく、カードの使用量を減少させることが可能である。
【考案を実施するための最良の形態】
【００１０】
以下、本考案の一実施形態を図面に基づいて説明する。
（一実施形態）
図１から図８に示すように、本考案の一実施形態によるカードの自動シャッフル装置１００は、本体１０、昇降機構３０、カット機構４０およびシャッフル機構５０を備える。
【００１１】
本体１０は、中間部位に位置するカード回収空間Ａ、カード回収空間Ａの両側に位置する第一収容トレイ１１と第二収容トレイ１２を有する。第一収容トレイ１１と第二収容トレイ１２とカード回収空間Ａの間には、第一隔離板１３と第二隔離板１４を有する。第一収容トレイ１１と第二収容トレイ１２は、底部にカード回収空間Ａと連絡しカードＰを通過させるための第一開口部１１１、第二開口部１２１を別々に有し、かつ上方に軸によって本体１０に接続される二つのストッパー１５、１６を別々に有する。
【００１２】
二つのストッパー１５、１６は、板面１５１、１６１と弧形ガイド部１５２、１６２を別々に有する。ストッパー１５を例として説明を進める。ストッパー１５は、図２に示す第一位置Ｐ１と図３に示す第二位置Ｐ２との間に切り替えることが可能である。本実施形態では、ストッパー１５、１６の切替方式は、上下に垂直移動するように本体１０の外部に別々に装着される二つの支持ユニット１７、１８と、本体１０の底部に別々に装着される二つの駆動機構１９、２０によって達成される。
【００１３】
続いて支持ユニット１７と駆動機構１９を例として説明を進める。駆動機構１９は、モーター１９１とシャフト１９２を有し、モーター１９１は信号を受けてシャフト１９２の作動を制御し、支持ユニット１７を上昇または降下させる。
図２と図５に示すのは支持ユニット１７を上昇させる状態である。このとき支持ユニット１７の頂部１７１は弧形ガイド部１５２を押し、ストッパー１５の板面１５１を水平に保持することによりカードＰを載せることができる。図３と図１２に示すように、支持ユニット１７を降下させる状態下で弧形ガイド部１５２は回転し、かつストッパー１５の板面１５１を垂直状態に旋転させる。このときカードＰは収容トレイに自動的に落下する。
【００１４】
本体１０は、ストッパー１５、１６のカード回収空間Ａに近い一側において第一側輪２１と第二側輪２２を別々に有する。そして、第一隔離板１３と第二隔離板１４において隔離板に対応して上下に移動可能な第一遮断片２３と第二遮断片２４を有する。
第二遮断片２４を例として説明を進める。図５に示すように、第二遮断片２４は上半部にねじ孔２４１を有し、第二隔離板１４はボルト１４１を有する。ボルト１４１の身部１４１ａはねじ孔２４１に嵌め込められ、ボルト１４１のヘッド部１４１ｂは制限されるため本来の場所で回転することしかできない。かつボルト１４１を時計回りまたは逆時計回りに回転させ、第二遮断片２４の上昇または降下を制御することによりカードＰの通過に用いる第二開口部１２１の大きさを変えることができる。これにより、第一遮断片２３は同じ制御方法で第一開口部１１１の大きさを変えることができる。
【００１５】
本体１０は、第一収容トレイ１１と第二収容トレイ１２の下方において構成が同じ第一カード屑収集トレイ２５と第二カード屑収集トレイ２６を有する。第一カード屑収集トレイ２５と第二カード屑収集トレイ２６は、本体１０と分離可能に本体１０に装着され、かつ後端にフィルター、例えば図１に示すフィルター２５１を有する。また本体１０は背面に二つのファン２７を有するため、ファン２７が回転する際に生じる吸引力によって本体１０の内部のカード屑を第一カード屑収集トレイ２５と第二カード屑回収トレイ２６の方向に沿って吸引し、フィルターによってカード屑の掃除を図ることができる。
【００１６】
本体１０は、さらに収集ボックス２９を有する。収集ボックス２９は、本体１０と分離可能なように本体１０に装着され、かつカード回収空間Ａ内のカードＰの収集に用いられる。収集ボックス２９を引き出したり差し込んだりすることにより別の設備（カード分配機）とトランプカード交換を迅速に行うことができる。
【００１７】
昇降機構３０は、垂直方向に沿って往復移動できるように本体１０の背面に装着されるスライド座３１と、スライド座３１に連結されかつカード回収空間Ａの内部に入り込む平台３２とを有する。これにより、平台３２はカード回収空間Ａを垂直、上下に移動することが可能である。スライド座３１の上下移動方法は、スライド座３１に連結されるボルト（図中未表示）とボルトを時計回りまたは逆時計回りに回転させるモーター（図中未表示）によって達成することができる。平台３２の上方はカードＰの積み重ねに用いられる。平台３２は切り込み溝３２１と感知板３２２を有する。その機能はのちほど述べる。
【００１８】
図５に示すように、カット機構４０は、本体１０の上方に装着される。カット機構４０は左右に移動可能な移動板４１、第一センサー４２、第二センサー４３および第三センサー４４を有する。
【００１９】
第一センサー４２は、本体１０の背面の上方に装着され、カードＰが平台３２の上方に積み重ねられた時、回路板（図中未表示）に信号を出力する。回路板は出力された信号に対応し、移動板４１によってカードＰを第一収容トレイ１１と第二収容トレイ１２に左右交互に移送する。図１０と図１１に示すように、移動板４１によって左右一回ずつカードＰを移送する動作が完了した後、第一収容トレイ１１と第二収容トレイ１２の上方の二つのストッパー１５、１６は、第一位置Ｐ１から第二位置Ｐ２に迅速に移動し、そののち第一位置Ｐ１に復元する。
【００２０】
第二センサー４３は、平台３２に装着され、平台３２の上方にカードＰがなくなったことを感知すると、回路板によってカット機構４０を制御してカット作動を停止させる。
【００２１】
第三センサー４４は、移動板４１の底部に装着される。第三センサー４４は、図１１に示すように、移動板４１によるカード移送が完了した際、真下に第一収容トレイ１１または第二収容トレイ１２にまだ移送されていないカードＰを感知すると、回路板によって第一側輪２１または第二側輪２２を逆時計回りに回転させ、感知されたカードＰをカード回収空間Ａの方向に沿って送出する。
図７に示すように、平台３２の切り込み溝３２１の設計は、移動板４１が最後一回、切り込んで通過する際、平台３２の上のカードＰを第一収容トレイ１１または第二収容トレイ１２に完全に投入するためである。
【００２２】
シャッフル機構５０は、第一収容トレイ１１の底部に装着される二つの第一回転輪５１と、第二収容トレイ１２の底部に装着される二つの第二回転輪５２とを有する。
第一開口部１１１は第一回転輪５１と第一隔離板１３の底部の間に形成され、第二開口部１２１は第二回転輪５２と第二隔離板１４の底部の間に形成される。第一回転輪５１および第二回転輪５２は、カット機構４０のカット作動が停止した後、回路板の制御を受けて始動し、かつ第一収容トレイ１１と第二収容トレイ１２の中に収容されるカードＰを別々に第一開口部１１１および第二開口部１２１からカード回収空間Ａに移送し、集中させる。このときカードＰは平台３２の上方に交互に積み重ねられる。
【００２３】
シャッフル機構５０は、さらに第一開口部１１１と第二開口部１２１の下方に装着される第四センサー５３を有する。カット機構４０のカット作動が完了した後、昇降機構３０の平台３２は降下し、第四センサー５３は降下した平台３２を感知すると平台３２を現在の場所に停止させることにより、カードＰの受け入れを図る。
【００２４】
シャッフル機構５０は、さらに二つの第五センサー５４を有する。第五センサー５４は第一収容トレイ１１と第二収容トレイ１２の底部に別々に装着される。第五センサー５４は、上方の第一収容トレイ１１と第二収容トレイ１２の中のカードＰがなくなったことを感知すると、回路板によって第一側輪５１または第二側輪５２の回転を停止させる。
【００２５】
シャッフル過程においてカードＰが第一開口部１１１または第二開口部１２１の出口に残留し、移送されなかったという事態を防止するため、本実施形態では、シャッフル機構５０はさらに第一開口部１１１と第二開口部１２１の出口に第六センサー５５を別々に有する。第六センサー５５はカードＰが出口に残留したことを感知すると回路板によって回転輪を持続的に回転させ、カードＰが感知されなくなるとシャッフル作動を停止させる。
【００２６】
シャッフル機構５０は、さらに本体１０に装着される押し板５６と駆動機構５７とを有する。駆動機構５７は、伝動組５７１、モーター５７２およびセンサー５７３を有する。センサー５７３は、伝動組５７１の底部の回転盤５７１ａの異なる突出部を感知することにより、モーター５７２によって歯車を有する伝動組５７１を駆動する作動を制御し、押し板５６を下に押す位置Ｐ３と引き上げる位置Ｐ４の間に切り替える。押し板５６が下に押す位置Ｐ３に据えられるとき、シャッフル中のカードＰを確実に押さえ、カード整理の便を図ることができる。
以上は本考案によるカードの自動シャッフル装置１００の部品およびその位置関係についての説明であった。続いて、カードの自動シャッフル装置１００の作動について説明を進める。
【００２７】
図１と図９から図１２に示すように、まずカードＰを収集ボックス２９に投入する。そののち収集ボックス２９を本体１０のカード回収空間Ａに差し込み、そしてスイッチを起動する。このとき昇降機構３０のスライド座３１は平台３２を上昇させ、収集ボックス２９内のカードＰを受け入れる。図９に示すように、第一センサー４２が上昇中の平台３２上のカードＰを感知すると、昇降機構３０のボルトはランダムな制御によって異なる回転数で前進し、カードＰを第一センサー４２より一定の距離高くする。
【００２８】
一定の距離は、毎回、移動板４１によってカットするカードＰの量を表示し、かつランダムな制御を受けるボルトが異なる回転数で前進するため、毎回カットされるカードＰの枚数が異なる。移動板４１によって左右一回ずつのカードＰ移送作動を完了させると、第一収容トレイ１１と第二収容トレイ１２の上方の二つのストッパー１５、１６は第一位置Ｐ１から第二位置Ｐ２に迅速に移動し、そののち第一位置Ｐ１に復元することにより、カードＰをストッパー１５、１６から第一収容トレイ１１と第二収容トレイ１２の底部に別々に落下させる。
そののち、システムは左右一回ずつの移動作動を繰り返し、第二センサー４３によって平台３２の上方のカードＰがなくなったことを感知すると、カット機構４０のカット作動を停止させる。
【００２９】
本考案は、すべてのカット作動が完了した後、ストッパー１５、１６を第一位置Ｐ１から第二位置Ｐ２に切り替え、続いて後続のシャッフル作動を進めることもできる。注目すべきなのは、図１１に示すようにカードＰが第二収容トレイ１２の中に完全に投入されていない場合、システムが第三センサー４２の感知によって第二側輪２２を逆時計回りに回転させ、感知されたカードＰをカード回収空間Ａに後退させ、次のカット作動を行うまで収容することである。
【００３０】
本考案の構成により、平台３２の上方のカードＰがなくなった時、平台３２は自動的に降下し、第四センサー５３を感知させることができると降下が停止する。図１２に示すように、このとき押し板５６はシステムの制御によって下に押す位置Ｐ３に切り替えられ、第一回転輪５１と第二回転輪５２は回転し始め、第一収容トレイ１１と第二収容トレイ１２内のカードＰをカード回収空間Ａに移送し、かつカードＰを平台３２の上に順序かつ交互に積み重ねる。
【００３１】
ここで本考案をより明確するため、次の通り再び説明を加える。
押し板５６は両側が斜辺であるため、カード誘導作用を有し、かつ平台３２は制御を受けてやや上下に振動するため、カード整理の便を図ることができる。
また第五センサー５４は第一収容トレイ１１と第二収容トレイ１２内のカードＰがなくなったことを感知すると、システムを制御してシャッフル作動を停止させる。
またカードＰが第一開口部１１１または第二開口部１２１に詰まっている時、第六センサー５５は回路板によって第一側輪５１または第二側輪５２を持続的に回転させ、カードＰをカード回収空間Ａに確実に投入する。カードＰが感知されなくなると第六センサー５５がシャッフル作動を停止させる。
【００３２】
上述した通り、本考案は人手の代わりに機械でカードのシャッフルを行うことによりシャッフルの全自動化と、シャッフルとカットの均質化とを達成するため、ゲームの公平性と娯楽性を高めることが可能なだけでなく、カードの使用量を減少させ、コストを大幅に削減することが可能である。
上述したのは好ましい実施形態の一例に過ぎないため、本考案の明細書および実用新案登録請求項の範囲に基づいた効果が同等な構成等の変更は、本考案の実用新案登録請求の範囲に属するべきである。
【図面の簡単な説明】
【００３３】
【図１】本考案の一実施形態によるカードの自動シャッフル装置の斜視図。
【図２】図１に示すカードの自動シャッフル装置の内部の前側の構成を示す模式図。
【図３】図２の部分拡大図。
【図４】図１に示すカードの自動シャッフル装置の内部の背面の構成を示す模式図。
【図５】図２の断面図である。
【図６】図１に示すカードの自動シャッフル装置の内部の左側の構成を示す模式図。
【図７】本考案の一実施形態によるカードの自動シャッフル装置の移動板が平台の切り込み溝を切り込む状態を示す模式図。
【図８】本考案の一実施形態によるカードの自動シャッフル装置のうちの押し板が駆動機構とともに連動する状態を示す模式図。
【図９】本考案の一実施形態によるカードの自動シャッフル装置のシャッフルのプロセスを示す模式図。
【図１０】本考案の一実施形態によるカードの自動シャッフル装置のシャッフルのプロセスを示す模式図。
【図１１】本考案の一実施形態によるカードの自動シャッフル装置のシャッフルのプロセスを示す模式図。
【図１２】本考案の一実施形態によるカードの自動シャッフル装置のシャッフルのプロセスを示す模式図。
【符号の説明】
【００３４】
１００：カードの自動シャッフル装置、１０：本体、１１：第一収容トレイ、１１１：第一開口部、１２：第二収容トレイ、１２１：第二開口部、１３：第一隔離板、１４：第二隔離板、１４１：ボルト、１４１ａ：身部、１４１ｂ：ヘッド部、１５：ストッパー、１５１：板面、１５２：弧形ガイド部、１６：ストッパー、１６１：板面、１６２：弧形ガイド部、１７：支持ユニット、１７１：頂部、１８：支持ユニット、１９：駆動機構、１９１：モーター、１９２：シャフト、２０：駆動機構、２１：第一側輪、２２：第二側輪、２３：第一遮断片、２４：第二遮断片、２４１：ねじ孔、２５：第一カード屑収集トレイ、２５１：フィルター、２６：第二カード屑収集トレイ、２７：ファン、２９：収集ボックス、３０：昇降機構、３１：スライド座、３２：平台、３２１：切り込み溝、３２２：感知板、４０：カット機構、４１：移動板、４２：第一センサー、４３：第二センサー、４４：第三センサー、５０：シャッフル機構、５１：第一回転輪、５２：第二回転輪、５３：第四センサー、５４：第五センサー、５５：第六センサー、５６：押し板、５７：駆動機構、５７１：伝動組、５７１ａ：回転盤、５７２：モーター、５７３：センサー、Ａ：カード回収空間、Ｐ：カード、Ｐ１：第一位置、Ｐ２：第二位置、Ｐ３：下に押す位置、Ｐ４：引き上げる位置
【図１】
0003143643.tif 000003
【図２】
0003143643.tif 000004
【図３】
0003143643.tif 000005
【図４】
0003143643.tif 000006
【図５】
0003143643.tif 000007
【図６】
0003143643.tif 000008
【図７】
0003143643.tif 000009
【図８】
0003143643.tif 000010
【図９】
0003143643.tif 000011
【図１０】
0003143643.tif 000012
【図１１】
0003143643.tif 000013
【図１２】
0003143643.tif 000014